(57)【要約】【課題】  特定のテーマを形にした環境にやさしい使い捨てウエットティッシュ容器を提供する。【解決手段】  内部に複数枚のウエットティッシュを保持する、テーマを形に表した使い捨ての環境にやさしい主ケース構造体を有し、基底を備える。選択的に開閉可能な蓋体が前記主ケース構造体の基底と平行な平面上で移動するように、ケース構造体に可動に連結されている。ロゴやエンブレムを取り付けるための所定面域が設けられている。【選択図】図１
2013506608.tif 000002
【特許請求の範囲】
【請求項１】
内部に複数枚のウエットティッシュを保持する、テーマを形に表した使い捨ての環境にやさしい主ケース構造体と、該主ケース構造体は基底を備え、
前記テーマを形に表した使い捨ての環境にやさしい主ケース構造体を選択的に開閉可能な蓋体と、該選択的に開閉可能な蓋体は、前記主ケース構造体の基底と平行な平面上で移動するように規制されつつ前記テーマを形に表した使い捨ての環境にやさしい主ケース構造体に可動に連結されており、
ロゴやエンブレムを載置するための所定面域と、
を有する、特定のテーマを形に表した環境にやさしい使い捨てウエットティッシュ容器。
【請求項２】
前記テーマを形に表した使い捨ての環境にやさしい主ケース構造体と前記選択的に開閉可能な蓋体は再生可能資源で作製される、請求項１に記載の特定のテーマを形に表した環境にやさしい使い捨てウエットティッシュ容器。
【請求項３】
前記蓋体を前記主ケース構造体の前記基底と平行な平面上で回転させるために、前記テーマを形に表した使い捨ての環境にやさしい主ケース構造体と前記選択的に開閉可能な蓋体とを相対的に可動に連結するスイベルピン装置を有する、請求項１に記載の特定のテーマを形に表した環境にやさしい使い捨てウエットティッシュ容器。
【請求項４】
前記蓋体を前記主ケース構造体の前記基底と平行な平面上で回転させるために、前記テーマを形に表した使い捨ての環境にやさしい主ケース構造体と前記選択的に開閉可能な蓋体とを相対的に可動に連結するスイベルピン装置を有する、請求項２に記載の特定のテーマを形に表した環境にやさしい使い捨てウエットティッシュ容器。
【請求項５】
前記蓋体を前記主ケース構造体の前記基底と平行な平面上で直線的に移動させるために、前記テーマを形に表した使い捨ての環境にやさしい主ケース構造体と前記選択的に開閉可能な蓋体とを相対的に可動に接続するスライド軌道機構を有する、請求項１に記載の特定のテーマを形に表した環境にやさしい使い捨てウエットティッシュ容器。
【請求項６】
前記蓋体を前記主ケース構造体の前記基底と平行な平面上で直線的に移動させるために、前記テーマを形に表した使い捨ての環境にやさしい主ケース構造体と前記選択的に開閉可能な蓋体とを相対的に可動に接続するスライド軌道機構を有する、請求項１に記載の特定のテーマを形に表した環境にやさしい使い捨てウエットティッシュ容器。
【請求項７】
前記ウエットティッシュ容器はフットボールの形状を有している、請求項１に記載の特定のテーマを形に表した環境にやさしい使い捨てウエットティッシュ容器。
【請求項８】
前記ウエットティッシュ容器はフットボールの形状を有している、請求項２に記載の特定のテーマを形に表した環境にやさしい使い捨てウエットティッシュ容器。
【請求項９】
前記蓋体を前記主ケース構造体の前記基底と平行な平面上で直線的に移動させるために、スライド軌道機構が前記テーマを形に表した使い捨ての環境にやさしい主ケース構造体と前記選択的に開閉可能な蓋体とを相対的に可動に接続する、請求項１に記載の特定のテーマを形に表した環境にやさしい使い捨てウエットティッシュ容器。
【請求項１０】
前記テーマを形に表した使い捨ての環境にやさしい主ケース構造体は、ウエットティッシュ収納室と空の室とを有する、請求項２に記載の特定のテーマを形に表した環境にやさしい使い捨てウエットティッシュ容器。
【請求項１１】
前記テーマを形に表した使い捨ての環境にやさしい主ケース構造体は、ウエットティッシュ収納室と空の室とを有する、請求項５に記載の特定のテーマを形に表した環境にやさしい使い捨てウエットティッシュ容器。
【請求項１２】
前記テーマを形に表した使い捨ての環境にやさしい主ケース構造体は、ウエットティッシュ収納室と空の室とを有する、請求項６に記載の特定のテーマを形に表した環境にやさしい使い捨てウエットティッシュ容器。
【請求項１３】
前記テーマを形に表した使い捨ての環境にやさしい主ケース構造体は、ウエットティッシュ収納室と空の室とを有する、請求項７に記載の特定のテーマを形に表した環境にやさしい使い捨てウエットティッシュ容器。
【請求項１４】
前記テーマを形に表した使い捨ての環境にやさしい主ケース構造体は、ウエットティッシュ収納室と空の室とを有する、請求項８に記載の特定のテーマを形に表した環境にやさしい使い捨てウエットティッシュ容器。
【請求項１５】
前記ウエットティッシュ収納室を覆う取り除き可能乃至開放可能なフィルムを有する、請求項９に記載の特定のテーマを形に表した環境にやさしい使い捨てウエットティッシュ容器。
【請求項１６】
前記ウエットティッシュ収納室を覆う取り除き可能乃至開放可能なフィルムを有する、請求項１０に記載の特定のテーマを形に表した環境にやさしい使い捨てウエットティッシュ容器。
【請求項１７】
前記ウエットティッシュ収納室を覆う取り除き可能乃至開放可能なフィルムを有する、請求項１１に記載の特定のテーマを形に表した環境にやさしい使い捨てウエットティッシュ容器。
【請求項１８】
前記ウエットティッシュ収納室を覆う取り除き可能乃至開放可能なフィルムを有する、請求項１２に記載の特定のテーマを形に表した環境にやさしい使い捨てウエットティッシュ容器。
【請求項１９】
前記ウエットティッシュ収納室を覆う取り除き可能乃至開放可能なフィルムを有する、請求項１３に記載の特定のテーマを形に表した環境にやさしい使い捨てウエットティッシュ容器。
【請求項２０】
前記ウエットティッシュ収納室を覆う取り除き可能乃至開放可能なフィルムを有する、請求項１４に記載の特定のテーマを形に表した環境にやさしい使い捨てウエットティッシュ容器。
【発明の詳細な説明】
【技術分野】
【０００１】
本発明は、特定のテーマを形に表した環境にやさしい使い捨てウエットティッシュ容器及びその作製並びに利用方法に関する。
【０００２】
より詳しくは、本発明は再生可能資源を利用して造られる特定のテーマを形に表した環境にやさしい使い捨てウエットティッシュ容器及びその作製並びに利用方法に関する。
【０００３】
本発明に係る品は、従来のウエットティッシュ容器に対する不満を解消する待望の品であり、同時に非常に便利でユニークな、特定のテーマを形に表した環境にやさしい使い捨てウエットティッシュ容器である。
【背景技術】
【０００４】
本明細書で使用される「テーマを形に表した」との表現は、フットボール、サッカーボール、野球ボール、ゴルフボール、カーレースドライバーのヘルメット、積み重ねたタイヤ、及びフットボール用ヘルメット、バスケットボール、野球帽、自動車、子犬、猫、象、マルハナバチ、苺、ケーキ、ホッケイのパック、円盤形状、コーン形状、及びテディベアを非限定的に含む、様々な使用者の好みで決まる形状のいずれか一つを意味する。
【０００５】
本明細書で使用される「再生可能資源」との表現は、竹パルプ、コーンシュガー、又はサトウキビやモロコシを搾汁後の残滓を非限定的に含むいずれかの再生可能資源を意味する。
【発明の概要】
【発明が解決しようとする課題】
【０００６】
本発明は、特定のテーマを形に表した環境にやさしい使い捨てウエットティッシュ容器を提供することを主たる目的とする。
【０００７】
本発明の別の目的は、再生可能資源を利用して造られる、特定のテーマを形に表した、新しくて珍しい、環境にやさしい使い捨てウエットティッシュ容器及びその作製並びに利用方法を提供することにある。
【０００８】
本発明の更なる目的は、蓋体を主ケース構造体の基底と平行な平面上で回転させるために、前記テーマを形にした使い捨ての環境にやさしい主ケース構造体と選択的に開閉可能な蓋体とを相対的に可動に連結するスイベルピン装置を有する、ウエットティッシュ容器を提供することにある。
【０００９】
本発明のまた別の目的は、蓋体を主ケース構造体の基底と平行な平面上で直線的に移動または摺動させるために、前記テーマを形に表した使い捨ての環境にやさしい主ケース構造体と前記選択的に開閉可能な蓋体とを相対的に可動に接続するスライド軌道機構を有する、特定のテーマを形に表した環境にやさしい使い捨てウエットティッシュ容器を提供することにある。
【００１０】
本発明のまた別の目的は、前記テーマを形に表した使い捨ての環境にやさしい主ケース構造体がウエットティッシュ収納室と空の室とを有する、特定のテーマを形に表した環境にやさしい使い捨てウエットティッシュ容器を提供することにある。
【００１１】
本発明の更なる目的は、前記テーマを形に表した使い捨ての環境にやさしい主ケース構造体がウエットティッシュ収納室と空の室と、ウエットティッシュ収納室を覆う取り外し可能なフィルムとを有する、特定のテーマを形に表した環境にやさしい使い捨てウエットティッシュ容器を提供することにある。
【００１２】
本発明の他の目的、利点及び特徴は、この特定の技術分野における熟達した技術者と、それ以外の本特許出願に接して添付図面を参照して読み取った者にとっては明らかとなるであろう。
【課題を解決するための手段】
【００１３】
本発明は、内部に複数枚のウエットティッシュを保持するテーマを形に表した使い捨ての環境にやさしい主ケース構造体と、該主ケース構造体は基底を備え、前記テーマを形にした使い捨ての環境にやさしい主ケース構造体を選択的に開閉可能な蓋体と、該選択的に開閉可能な蓋体は前記主ケース構造体の基底と平行な平面において移動するように規制されつつ前記テーマを形にした使い捨ての環境にやさしい主ケース構造体に可動に連結されており、ロゴやエンブレムを取り付けるための所定面域とを有する、特定のテーマを形に表した環境にやさしい使い捨てウエットティッシュ容器を提供する。
【図面の簡単な説明】
【００１４】
【図１】本発明の第１実施例の平面図である。
【図２】ほぼ全開位置までスライドした蓋体を想像線で示した、図１に示された装置の縦断面図である。
【図３】図１の横断面図である。
【図４】ほぼ全開状態にある本発明の第２実施例の平面図である。
【図５】図４の装置の構成部材の組み付け構造を示す図である。
【発明を実施するための形態】
【００１５】
図１乃至図７には、本発明の第１実施例に係る特定のテーマを形に表した環境にやさしい使い捨てウエットティッシュ容器１０が示されている。
【００１６】
この容器１０は、内部に複数枚のウエットティッシュを保持する、テーマを形に表した使い捨ての環境にやさしい主ケース構造体１１を有する。このテーマを形に表した使い捨ての環境にやさしい主ケース構造体１１は基底１２を備えている。
【００１７】
このテーマを形に表した使い捨ての環境にやさしい主ケース構造体１１には選択的に開閉可能な蓋体１３が設けられている。この選択的に開閉可能な蓋体１３は、主ケース構造体１１の基底１２と平行な平面上で移動するように規制されつつ、前記テーマを形に表した使い捨ての環境にやさしい主ケース構造体１１に可動に連結されている。
【００１８】
この容器には、ロゴやエンブレム（不図示）を取り付けるための所定面域１４が設けられている。例えば、フットボール形状の容器１０には、使用者が自分の好きなフットボールチームのロゴやエンブレムを取り付けることができる。また、フットボールの実施例においては、蓋体１３にフットボールのデザイン刺繍を施すこともできる。
【００１９】
容器１０は、蓋体１３を主ケース構造体１１の基底１２と平行な平面上で直線的に移動または摺動させるために、前記テーマを形にした使い捨ての環境にやさしい主ケース構造体１１と前記選択的に開閉可能な蓋体１３とを相対的に可動に接続するスライド軌道機構１５を有する。スライド用軌道機構１５内で蓋体１３を摺動させるために、蓋体１３を押したり引いたりする使用者の指が入る凹部１９も設けられている。
【００２０】
テーマを形に表した使い捨ての環境にやさしい主ケース構造体１１は、ウエットティッシュ収納室１６と空の室１７とを有する。ウエットティッシュ収納室１６を覆う取り除き可能乃至開放可能なフィルム１８も設けられている。
【００２１】
この特定のテーマを形に表した環境にやさしい使い捨てウエットティッシュ容器１０の作製には、商業的に利用可能な標準的アイスボックス材料を使用することができる。これに代えて、容器１０全体またはその主要部、例えば、テーマを形に表した使い捨ての環境にやさしい主ケース構造体１１と選択的に開閉可能な蓋体１３、を再生可能資源で作製するとよい。
【００２２】
より詳しくは、容器１０は、例えば、竹パルプ、コーンシュガー、又はサトウキビやモロコシ茎の搾汁後の残滓のような再生可能資源で作製するとよい。
【００２３】
図４と図５には、本発明の第２実施例に係る特定のテーマを形にした環境にやさしい使い捨てウエットティッシュ容器３０が示されている。
【００２４】
この容器３０は、内部に複数枚のウエットティッシュ（不図示）を保持する、テーマを形に表した使い捨ての環境にやさしい主ケース構造体３１を有する。このテーマを形に表した使い捨ての環境にやさしい主ケース構造体３１は基底３２を備えている。
【００２５】
このテーマを形に表した使い捨ての環境にやさしい主ケース構造体３１には選択的に開閉可能な蓋体３３が設けられている。この選択的に開閉可能な蓋体１３は、主ケース構造体３１の基底３２と平行な平面において移動するように規制されつつ、前記テーマを形に表した使い捨ての環境にやさしい主ケース構造体３１に可動に連結されている。
【００２６】
即ち、蓋体３３を主ケース構造体の基底３２と平行な平面上で回転させるために、前記テーマを形に表した使い捨ての環境にやさしい主ケース構造体３１と選択的に開閉可能な蓋体３３とを相対的に可動に連結する、スイベルピン３４とスイベルピン受入凹部３５とからなるスイベルピン装置が設けられている。
【００２７】
突起３６と窪み３７は、蓋体３３が、意図しないときに誤って回転して容器３０を開放することを防ぐのに役立つ。
【００２８】
容器３０には、使用者専用のロゴやエンブレム（不図示）を取り付けるための所定面域３８が設けられている。例えば、ホッケイのパック形状の容器３０には、使用者が自分の好きなホッケーチームのロゴやエンブレムを取り付けることができる。
【００２９】
この特定のテーマを形に表した環境にやさしい使い捨てウエットティッシュ容器３０の作製には、商業的に利用可能な標準的アイスボックス材料を使用することができる。これに代えて、容器３０全体またはその主要部、例えば、テーマを形に表した使い捨ての環境にやさしい主ケース構造体１１と選択的に開閉可能な蓋体１３を再生可能資源で作製するとよい。
【００３０】
より詳しくは、容器３０は、例えば、竹パルプ、コーンシュガー、又はサトウキビやモロコシ茎の搾汁後の残滓のような再生可能資源で作製するとよい。
【００３１】
添付図面及び上記説明では、本発明の唯２つの珍しく新しい実施例について説明したが、本発明は多くの様々な実施形態、構成、素材、構成物の配置、寸法及び形状で実用化し、構成することができる。
【００３２】
この特定の技術分野の熟達した技術者と、それ以外の本特許明細書及び添付図面に接した者にとっては、本発明についての多くの変更、修正、改変、用途変更、及び応用が明らかになるはずである。
【００３３】
如何なるそして全てのそのような変更、修正、改変、用途変更、及び応用も本発明の精神と範囲から外れるものではなく、従ってそれらはここに示された本発明及び特許請求の範囲によりカバーされ、かつ当該範囲に包含されるものである。
【符号の説明】
【００３４】
１０, ３０  ウエットティッシュ容器
１１, ３１  主ケース構造体
１２，３２  主ケース構造体の基底
１３，３３  蓋体
１４，３８  所定面域
１５        スライド用軌道機構
３４，３５  スイベルピン装置
【図１】
2013506608.tif 000003
【図２】
2013506608.tif 000004
【図３】
2013506608.tif 000005
【図４】
2013506608.tif 000006
【図５】
2013506608.tif 000007
【国際調査報告】
2013506608.tif 000008
2013506608.tif 000009